(57)【要約】【課題】  液晶表示装置の駆動回路を削減し、低価格化、製造工数低減することが出来る。また、この液晶装置を搭載した電子機器は省スペース化を図ることが出来る。【解決手段】  第１の液晶セル１と第２の液晶セル２を積層し、双方とも駆動する液晶表示装置において、第１の液晶セルと第２の液晶セルを接続し、第２の液晶セルには１チップの駆動回路４と第１の液晶セルとを接続する配線が形成されており、駆動回路により第１の液晶セルと第２の液晶セルが駆動され、駆動回路の第１の液晶セルを駆動する配線との接続が、１チップの駆動回路の第２の液晶セルを駆動する電極との接続の両側に配置されている。【選択図】  図２
2005122216.tif 000002
【特許請求の範囲】
【請求項１】
対向して配置された一対の基板の間に液晶層を挟持してなる液晶セルを少なくとも２枚以上重ね、それぞれの前記液晶層を駆動する液晶表示装置であって、第１の液晶セルと第２の液晶セルが接続されている液晶表示装置において、前記第２の液晶セルと駆動回路とが接続され、前記第２の液晶セルには前記駆動回路と前記第１の液晶セルとを接続する配線が形成されており、１チップの前記駆動回路により前記第１の液晶セルと前記第２の液晶セルが駆動され、前記１チップの駆動回路は前記第２の液晶セルを駆動するための信号出力の両側から前記第１の液晶セルを駆動するための信号を前記配線に出力することを特徴とする液晶表示装置。
【請求項２】
前記液晶層には、ねじれ配向したネマチック液晶を用いることを特徴とする請求項１に記載の液晶表示装置。
【請求項３】
前記第１の液晶セルと前記第２の液晶セルを一対の偏光板にて挟み込んだことを特徴とする請求項１または２に記載の液晶表示装置。
【請求項４】
前記第１の液晶セルと前記第２の液晶セルをそれぞれ一対の偏光板にて挟み込んだことを特徴とする請求項１または２に記載の液晶表示装置。
【請求項５】
前記第１の液晶セルと前記第２の液晶セルをフレキシブルテープにて接続したことを特徴とする請求項１ないし４のいずれか１項に記載の液晶表示装置。
【請求項６】
第１の液晶セルおよび第２の液晶セルを有してなり、前記第１の液晶セルおよび前記第２の液晶セルのそれぞれは、対向して配置された一対の基板の間に液晶層を挟持してなり、それぞれの前記液晶層が駆動される液晶表示装置であって、前記第１の液晶セルと前記第２の液晶セルが接続されている液晶表示装置において、前記第２の液晶セルと駆動回路とが接続され、前記第２の液晶セルには前記駆動回路と前記第１の液晶セルとを接続する配線が形成されており、１チップの前記駆動回路により前記第１の液晶セルと前記第２の液晶セルが駆動され、前記１チップの駆動回路は前記第２の液晶セルを駆動するための信号出力の両側から前記第１の液晶セルを駆動するための信号を前記配線に出力することを特徴とする液晶表示装置。
【請求項７】
前記第１の液晶セルと前記第２の液晶セルをフレキシブルテープにて接続したことを特徴とする請求項６に記載の液晶表示装置。
【請求項８】
請求項１ないし請求項７のいずれか１項に記載の液晶表示装置を搭載したことを特徴とする電子機器。
【発明の詳細な説明】
【技術分野】
【０００１】
本発明は積層型の液晶表示装置及び、液晶表示装置を搭載した電子機器に関する。
【背景技術】
【０００２】
従来の駆動用液晶セルの積層型の液晶表示装置の１例を図７に示す。すなわち、第１の液晶セル１および、第２の液晶セル２を駆動するために、それぞれに駆動回路を接続していた。
【発明の開示】
【発明が解決しようとする課題】
【０００３】
しかしながら、上記従来の液晶表示装置にあっては、図７のような構造なので駆動回路４が２個必要となり、高価、製造工数の増大を招く。
【０００４】
また、従来の液晶表示装置を搭載した電子機器にあっては、駆動回路を２個必要となり、省スペース化が出来ない。
【０００５】
そこで、本発明は、駆動回路を削減し、低価格化、製造工数低減した液晶表示装置を提供することを目的とする。また、省スペース化を図った電子機器を提供することを目的とする。
【課題を解決するための手段】
【０００６】
本発明の液晶表示装置は、対向して配置された一対の基板の間に液晶層を挟持してなる液晶セルを少なくとも２枚以上重ね、それぞれの前記液晶層を駆動する液晶表示装置であって、第１の液晶セルと第２の液晶セルが接続されている液晶表示装置において、前記第２の液晶セルと駆動回路とが接続され、前記第２の液晶セルには前記駆動回路と前記第１の液晶セルとを接続する配線が形成されており、１チップの前記駆動回路により前記第１の液晶セルと前記第２の液晶セルが駆動され、前記１チップの駆動回路は前記第２の液晶セルを駆動するための信号出力の両側から前記第１の液晶セルを駆動するための信号を前記配線に出力することを特徴とする。
【０００７】
本発明の液晶表示装置は、前記液晶層には、ねじれ配向したネマチック液晶を用いることを特徴とする。
【０００８】
本発明の液晶表示装置は、前記第１の液晶セルと前記第２の液晶セルを一対の偏光板にて挟み込んだことを特徴とする。
【０００９】
本発明の液晶表示装置は、前記第１の液晶セルと前記第２の液晶セルをそれぞれ一対の偏光板にて挟み込んだことを特徴とする。
【００１０】
本発明の液晶表示装置は、前記第１の液晶セルと前記第２の液晶セルをフレキシブルテープにて接続したことを特徴とする。
【００１１】
本発明の液晶表示装置は、第１の液晶セルおよび第２の液晶セルを有してなり、前記第１の液晶セルおよび前記第２の液晶セルのそれぞれは、対向して配置された一対の基板の間に液晶層を挟持してなり、それぞれの前記液晶層が駆動される液晶表示装置であって、前記第１の液晶セルと前記第２の液晶セルが接続されている液晶表示装置において、前記第２の液晶セルと駆動回路とが接続され、前記第２の液晶セルには前記駆動回路と前記第１の液晶セルとを接続する配線が形成されており、１チップの前記駆動回路により前記第１の液晶セルと前記第２の液晶セルが駆動され、前記１チップの駆動回路は前記第２の液晶セルを駆動するための信号出力の両側から前記第１の液晶セルを駆動するための信号を前記配線に出力することを特徴とする。
【００１２】
本発明の液晶表示装置は、前記第１の液晶セルと前記第２の液晶セルをフレキシブルテープにて接続したことを特徴とする。
【００１３】
本発明の電子機器は、上記発明の液晶表示装置を搭載したことを特徴とする。
【発明の効果】
【００１４】
本発明の液晶表示装置によれば、第１の液晶セルと第２の液晶セルを接続し、第２の液晶セルには駆動回路と第１の液晶セルとを接続する配線が形成されており、１チップの駆動回路により第１の液晶セルと第２の液晶セルが駆動され、１チップの駆動回路は第２の液晶セルを駆動するための信号出力の両側から第１の液晶セルを駆動するための信号を配線に出力することにより、駆動回路を削減し、低価格化、製造工数を低減することが出来る。
【００１５】
本発明の電子機器によれば、第１の液晶セルと第２の液晶セルを接続し、第２の液晶セルには駆動回路と第１の液晶セルとを接続する配線が形成されており、１チップの駆動回路により第１の液晶セルと第２の液晶セルが駆動され、１チップの駆動回路は第２の液晶セルを駆動するための信号出力の両側から第１の液晶セルを駆動するための信号を配線に出力することにより、電子機器の省スペース化を図ることが出来る。
【発明を実施するための最良の形態】
【００１６】
本発明は、第１の液晶セルと第２の液晶セルを接続し、第２の液晶セルには駆動回路と第１の液晶セルとを接続する配線が形成されており、１チップの駆動回路により第１の液晶セルと第２の液晶セルが駆動され、１チップの駆動回路は第２の液晶セルを駆動するための信号出力の両側から第１の液晶セルを駆動するための信号を配線に出力することにより、駆動回路の削減とともに、省スペース化を図ることが出来る。
【実施例】
【００１７】
〔実施例１〕
図１は、本発明に係わる液晶表示装置の第１実施例の要部を示す図である。
【００１８】
第１の液晶セルと第２の液晶セルは積層されている。第１の液晶セル１は上電極基板１１と下電極基板１２がスペーサー１３により所定の間隔で隔てられ、液晶１４を挟みこんでいる。下電極基板１２の電極配線は導通剤１５を通し上電極基板１１の信号入力端子部１６に接続されている。第２の液晶セル２は上電極基板２１と下電極基板２２がスペーサー２３により所定の間隔で隔てられ、液晶２４を挟みこんでいる。上電極基板２１の電極配線は導通剤２５を通し下電極基板２２の信号入力端子部２６１に接続されている。下電極基板２２の信号入力端子部２６１の対辺に別の信号入力端子部２６２を設けている。信号入力端子部１６と信号入力端子部２６２をフレキシブルテープ３にて電気的に接続されている。下電極基板２２上に、信号入力端子部２６２と信号入力端子部２６１を接続するための配線２７を設けている。信号入力端子部２６１に液晶セル１および液晶セル２を駆動するため駆動回路４を設けたＴＣＰ（テープキャリアパッケージ）５が接続されている。
【００１９】
図２は、図１の液晶表示装置でフレキシブルテープの部分でａの方向に展開したときの配線の様子を示した図である。上記の接続の様子がわかる。
【００２０】
本発明の液晶表示装置では、駆動回路４を１チップにすることは容易であるが、従来の液晶表示装置では困難である。従来の液晶表示装置ではそれぞれの駆動回路を駆動するための電源部を必要とするが、本発明では必要としない。これにより、低価格化が図れる。また、製造工数の低減が図れる。
【００２１】
〔実施例２〕
次に、第２の液晶セルがドットマトリックスの場合について考える。図３は、本発明に係わる液晶表示装置の第２実施例の要部を示す図である。図４は、図３の液晶表示装置でフレキシブルテープの部分でａの方向に展開したときの配線の様子を示した図である。
【００２２】
第１の液晶セルと第２の液晶セルは積層されている。第１の液晶セル１Ａは上電極基板１１Ａと下電極基板１２Ａがスペーサー１３Ａにより所定の間隔で隔てられ、液晶１４Ａを挟みこんでいる。下電極基板１２Ａの電極配線は導通剤１５Ａを通し上電極基板１１Ａの信号入力端子部１６Ａに接続されている。第２の液晶セル２Ａは上電極基板２１Ａと下電極基板２２Ａがスペーサー２３Ａにより所定の間隔で隔てられ、液晶２４Ａを挟みこんでいる。上電極基板２１Ａの信号入力端子部２６３Ａに、液晶セル１Ａと液晶セル２Ａを駆動するためのロウ波形を入力するための駆動回路４２Ａを設けたＴＣＰ５２Ａが接続されている。また、下電極基板２２Ａの信号入力端子部２６１Ａに、液晶セル１Ａと液晶セル２Ａを駆動するためのカラム波形を入力するための駆動回路４Ａを設けたＴＣＰ５Ａが接続されている。また、下電極基板２２Ａの信号入力端子部２６１Ａの対辺に別の信号入力端子部２６２Ａを設けている。信号入力端子部１６Ａと信号入力端子部２６２Ａをフレキシブルテープ３Ａにて電気的に接続されている。
【００２３】
従来の液晶表示装置では駆動回路が４個もしくは３個必要であるが、本発明の液晶表示装置では、駆動回路を２個に抑えている。従来の液晶表示装置ではそれぞれの駆動回路を駆動するための電源部を必要とするが、本発明では必要としない。これにより、低価格化が図れる。また、製造工数の低減が図れる。
【００２４】
〔実施例３〕
図５は、本発明に係わる液晶表示装置の実施例の要部を示す図である。
【００２５】
実施例２において、液晶セル１Ａと液晶セル２Ａを上偏光板６１Ａと下偏光板６２Ａにて挟み込んでいる。液晶１４Ａは、液晶の光学異方性Δｎと液晶層の厚みｄの積Δｎ・ｄが０．８６μｍで、光学活性剤にて右２４０度ねじれにしている。液晶２４Ａは、液晶１４Ａと同じ母剤を用い、光学活性剤にて左２４０度ねじれにしている。また、第１の液晶セルの下電極基板１２Ａに接する液晶分子の方向と、第２の液晶セルの下電極基板２１Ａに接する液晶分子の方向はほぼ直交している。
【００２６】
すると、実施例２の効果にくわえ、液晶セル１Ａを駆動するとアイコン表示が出来、液晶セル２Ａを駆動するとドット表示ができ、サイズを大きくすることなしに情報量を増やすことが出来た。
【００２７】
〔実施例４〕
図６は、本発明に係わる液晶表示装置の実施例の要部を示す図である。
【００２８】
実施例２において、液晶セル１Ａを上偏光板６３Ａと下偏光板６４Ａにて挟み込んでいる。上偏光板６３Ａは、赤のカラー偏光板である。また、液晶セル２Ａを上偏光板６４Ａと下偏光板６５Ａにて挟み込んでいる。液晶１４Ａは、液晶の光学異方性Δｎと液晶層の厚みｄの積Δｎ・ｄが０．８６μｍで、光学活性剤にて左２４０度ねじれにしている。液晶２４Ａは、液晶１４Ａは同じである。上電極基板１１Ａと上偏光板６３Ａの間に位相差板７１Ａが挟み込まれ、外観色が無色になるように設定されている。また、上電極基板２１Ａと上偏光板６４Ａの間に位相差板７２Ａが挟み込まれ、外観色が無色になるように設定されている。
【００２９】
すると、実施例２の効果にくわえ、液晶セル１Ａを駆動するとアイコン表示が赤白表示で出来、液晶セル２Ａを駆動するとドット表示が白黒で出来、サイズを大きくすることなしに情報量を増やすことが出来た。
【００３０】
〔実施例５〕
実施例１においても、実施例３及び実施例４と同様に行った。実施例３及び実施例４と同様な効果が得られた。
【００３１】
また、反射板をもちいた反射型、半透過反射板を用いた半透過型でも同様な効果は得られる。
【００３２】
〔実施例６〕
実施例５の液晶表示装置を携帯電話機に組み込んだ。１チップの駆動回路で出来るため、省スぺース化が出来たばかりか、コントローラ回路が容易になった。
【産業上の利用可能性】
【００３３】
本発明の液晶表示装置によれば、第１の液晶セルと第２の液晶セルを接続し、前記第１の液晶セルを駆動するための信号は前記第２の液晶セルを介して送られることにより、駆動回路を削減し、低価格化、製造工数低減することが出来る。
【００３４】
本発明の電子機器によれば、第１の液晶セルと第２の液晶セルを接続し、前記第１の液晶セルを駆動するための信号は前記第２の液晶セルを介して送られることにより、電子機器の省スペース化を図ることが出来る。
【図面の簡単な説明】
【００３５】
【図１】本発明の一実施例の液晶表示装置の要部構造図。
【図２】図１における配線の様子を示す要部の構造図。
【図３】本発明の一実施例の液晶表示装置の要部構造図。
【図４】図３における配線の様子を示す要部の構造図。
【図５】本発明の一実施例の液晶表示装置の要部構造図。
【図６】本発明の一実施例の液晶表示装置の要部構造図。
【図７】従来の液晶表示装置の構造図。
【符号の説明】
【００３６】
１．第１の液晶セル
１１．上電極基板
１２．下電極基板
１３．スペーサー
１４．液晶
１５．導通材
１６．信号入力端子部
２．第２の液晶セル
２１．上電極基板
２２．下電極基板
２３．スペーサー
２４．液晶
２５．導通材
２６１．信号入力端子部
２６２．信号入力端子部
３．フレキシブルテープ
４．駆動回路
５．ＴＡＢ
【図１】
2005122216.tif 000003
【図２】
2005122216.tif 000004
【図３】
2005122216.tif 000005
【図４】
2005122216.tif 000006
【図５】
2005122216.tif 000007
【図６】
2005122216.tif 000008
【図７】
2005122216.tif 000009